(57)【特許請求の範囲】
【請求項１】
燃料ガスを燃焼させるバーナーと、暖房対象空間の空気を取り入れ、その取り入れた空気と前記バーナーの燃焼ガスとを混合して前記暖房対象空間に吹き出すように通風作用する燃焼式暖房用送風機とを有する燃焼式暖房部、及び、前記暖房対象空間の空気を取り入れ、その取り入れた空気を前記暖房対象空間に吹き出すように通風作用する電気式暖房用送風機と、当該電気式暖房用送風機により通風される空気を加熱する電気ヒーターとを有する電気式暖房部を有する暖房手段、並びに、
前記暖房対象空間の温度を測定する温度測定手段、並びに、
運転を制御する運転制御手段を備えるハイブリッド式温風暖房機であって、
前記運転制御手段は、前記燃焼式暖房部及び前記電気式暖房部を併用するハイブリッドモードにおいて、前記温度測定手段が測定する空気の温度が所定の目標温度となるように、前記温度測定手段が測定する空気の温度と前記目標温度との温度差に基づいて、前記暖房手段の目標暖房出力を最低暖房出力と最高暖房出力との間から決定する出力決定処理を行い、前記出力決定処理において決定した前記目標暖房出力を発揮するように前記暖房手段を動作させ、
前記運転制御手段は、前記出力決定処理において、
前記暖房手段の前記目標暖房出力が前記最低暖房出力と前記最高暖房出力との間の所定の中途暖房出力以下のとき、前記電気式暖房部が動作せず、且つ、前記燃焼式暖房部が最低燃焼暖房出力と最高燃焼暖房出力との間の所定の燃焼暖房出力を発揮するように動作する状態で前記暖房手段を動作させ、
前記暖房手段の前記目標暖房出力が前記中途暖房出力より大きいとき、前記燃焼式暖房部が前記最高燃焼暖房出力を発揮するように動作し、且つ、前記電気式暖房部が最低電気暖房出力と最高電気暖房出力との間の所定の電気暖房出力を発揮するように動作する状態で前記暖房手段を動作させ、
前記運転制御手段は、前記出力決定処理において、前記電気式暖房部の前記電気暖房出力を抑制するときの所定の電気暖房抑制条件が満たされると、前記最高電気暖房出力未満の所定の抑制時最高出力を上限として前記電気式暖房部の前記電気暖房出力を決定し、
前記運転制御手段は、前記出力決定処理において、前記暖房手段の動作開始時又は動作中に前記温度測定手段が測定する空気の温度が設定温度以上であると、前記電気暖房抑制条件が満たされたと判定するハイブリッド式温風暖房機。
【請求項２】
前記暖房手段の動作開始時又は動作中に前記温度測定手段が測定する空気の温度が高いほど、前記抑制時最高出力は小さい値に設定される請求項１に記載のハイブリッド式温風暖房機。
【請求項３】
前記運転制御手段は、前記出力決定処理において、前記暖房手段の動作開始時又は動作中に前記温度測定手段が測定する空気の温度と前記目標温度との温度差が設定温度差以下であると、前記電気暖房抑制条件が満たされたと判定する請求項１又は２に記載のハイブリッド式温風暖房機。
【請求項４】
燃料ガスを燃焼させるバーナーと、暖房対象空間の空気を取り入れ、その取り入れた空気と前記バーナーの燃焼ガスとを混合して前記暖房対象空間に吹き出すように通風作用する燃焼式暖房用送風機とを有する燃焼式暖房部、及び、前記暖房対象空間の空気を取り入れ、その取り入れた空気を前記暖房対象空間に吹き出すように通風作用する電気式暖房用送風機と、当該電気式暖房用送風機により通風される空気を加熱する電気ヒーターとを有する電気式暖房部を有する暖房手段、並びに、
前記暖房対象空間の温度を測定する温度測定手段、並びに、
運転を制御する運転制御手段を備えるハイブリッド式温風暖房機であって、
前記運転制御手段は、前記燃焼式暖房部及び前記電気式暖房部を併用するハイブリッドモードにおいて、前記温度測定手段が測定する空気の温度が所定の目標温度となるように、前記温度測定手段が測定する空気の温度と前記目標温度との温度差に基づいて、前記暖房手段の目標暖房出力を最低暖房出力と最高暖房出力との間から決定する出力決定処理を行い、前記出力決定処理において決定した前記目標暖房出力を発揮するように前記暖房手段を動作させ、
前記運転制御手段は、前記出力決定処理において、
前記暖房手段の前記目標暖房出力が前記最低暖房出力と前記最高暖房出力との間の所定の中途暖房出力以下のとき、前記電気式暖房部が動作せず、且つ、前記燃焼式暖房部が最低燃焼暖房出力と最高燃焼暖房出力との間の所定の燃焼暖房出力を発揮するように動作する状態で前記暖房手段を動作させ、
前記暖房手段の前記目標暖房出力が前記中途暖房出力より大きいとき、前記燃焼式暖房部が前記最高燃焼暖房出力を発揮するように動作し、且つ、前記電気式暖房部が最低電気暖房出力と最高電気暖房出力との間の所定の電気暖房出力を発揮するように動作する状態で前記暖房手段を動作させ、
前記運転制御手段は、前記出力決定処理において、前記電気式暖房部の前記電気暖房出力を抑制するときの所定の電気暖房抑制条件が満たされると、前記最高電気暖房出力未満の所定の抑制時最高出力を上限として前記電気式暖房部の前記電気暖房出力を決定し、
前記運転制御手段は、前記出力決定処理において、前記暖房手段の動作開始時又は動作中に前記温度測定手段が測定する空気の温度と前記目標温度との温度差が設定温度差以下であると、前記電気暖房抑制条件が満たされたと判定するハイブリッド式温風暖房機。
【請求項５】
前記暖房手段の動作開始時又は動作中に前記温度測定手段が測定する空気の温度と前記目標温度との温度差が小さいほど、前記抑制時最高出力は小さい値に設定される請求項３又は４に記載のハイブリッド式温風暖房機。
【請求項６】
前記電気式暖房部の前記電気暖房出力を抑制する指示を使用者から受け付ける抑制指示受付手段を備え、
前記運転制御手段は、前記出力決定処理において、前記抑制指示受付手段が使用者から前記電気式暖房部の前記電気暖房出力を抑制する指示を受け付けていると、前記電気暖房抑制条件が満たされたと判定する請求項１〜５の何れか一項に記載のハイブリッド式温風暖房機。
【発明の詳細な説明】
【技術分野】
【０００１】
本発明は、燃料ガスを燃焼させるバーナーと、暖房対象空間の空気を取り入れ、その取り入れた空気とバーナーの燃焼ガスとを混合して暖房対象空間に吹き出すように通風作用する燃焼式暖房用送風機とを有する燃焼式暖房部、及び、暖房対象空間の空気を取り入れ、その取り入れた空気を暖房対象空間に吹き出すように通風作用する電気式暖房用送風機と、当該電気式暖房用送風機により通風される空気を加熱する電気ヒーターとを有する電気式暖房部を有する暖房手段を備えるハイブリッド式温風暖房機に関する。
【背景技術】
【０００２】
特許文献１には、燃焼式暖房部及び電気式暖房部を有するハイブリッド式温風暖房機が記載されている。このハイブリッド式温風暖房機では、燃焼式暖房部は暖房運転中に常時動作し、電気式暖房部は立上り暖房時にのみ動作するように構成されている。つまり、特許文献１に記載のハイブリッド式温風暖房機では、立上り暖房時には燃焼式暖房部及び電気式暖房部の両方が動作し、立上り暖房時以外では燃焼式暖房部のみが動作する。
【０００３】
燃焼式暖房部による暖房コストと電気式暖房部による暖房コストとを比較すると、エネルギー単価の違いにより、電気式暖房部による暖房コストは、例えば都市ガスを燃料とした場合の燃焼式暖房部による暖房コストに比べて、同じ熱量を得るためのコストが約２．５倍も高くなる。
従って、特許文献１に記載のハイブリッド式温風暖房機では、暖房コストが高くなる電気式暖房部が動作するタイミングを立上り暖房時のみの短時間に限定しているため、電気式暖房部が立上り暖房時以外でも動作する場合に比べて暖房にかかるエネルギーコストを抑制できることになる。
【先行技術文献】
【特許文献】
【０００４】
【特許文献１】特開平５−０３４０１０号公報
【発明の概要】
【発明が解決しようとする課題】
【０００５】
特許文献１に記載のハイブリッド式温風暖房機のように、電気式暖房部が動作するタイミングが立上り暖房時のみの短時間に限定されると、真冬などの暖房負荷が高い場合には、暖房手段による暖房出力が不足して、暖房対象空間の温度を目標温度に維持できなくなる可能性がある。
但し、電気式暖房部を暖房運転中に常時動作させると、上述したように暖房コストが上昇するという問題がある。
【０００６】
本発明は、上記の課題に鑑みてなされたものであり、その目的は、暖房手段による暖房出力を充分に確保しながら、暖房コストの上昇を抑制できるハイブリッド式温風暖房機を提供する点にある。
【課題を解決するための手段】
【０００７】
上記目的を達成するための本発明に係るハイブリッド式温風暖房機の特徴構成は、燃料ガスを燃焼させるバーナーと、暖房対象空間の空気を取り入れ、その取り入れた空気と前記バーナーの燃焼ガスとを混合して前記暖房対象空間に吹き出すように通風作用する燃焼式暖房用送風機とを有する燃焼式暖房部、及び、前記暖房対象空間の空気を取り入れ、その取り入れた空気を前記暖房対象空間に吹き出すように通風作用する電気式暖房用送風機と、当該電気式暖房用送風機により通風される空気を加熱する電気ヒーターとを有する電気式暖房部を有する暖房手段、並びに、
前記暖房対象空間の温度を測定する温度測定手段、並びに、
運転を制御する運転制御手段を備えるハイブリッド式温風暖房機であって、
前記運転制御手段は、前記燃焼式暖房部及び前記電気式暖房部を併用するハイブリッドモードにおいて、前記温度測定手段が測定する空気の温度が所定の目標温度となるように、前記温度測定手段が測定する空気の温度と前記目標温度との温度差に基づいて、前記暖房手段の目標暖房出力を最低暖房出力と最高暖房出力との間から決定する出力決定処理を行い、前記出力決定処理において決定した前記目標暖房出力を発揮するように前記暖房手段を動作させ、
前記運転制御手段は、前記出力決定処理において、
前記暖房手段の前記目標暖房出力が前記最低暖房出力と前記最高暖房出力との間の所定の中途暖房出力以下のとき、前記電気式暖房部が動作せず、且つ、前記燃焼式暖房部が最低燃焼暖房出力と最高燃焼暖房出力との間の所定の燃焼暖房出力を発揮するように動作する状態で前記暖房手段を動作させ、
前記暖房手段の前記目標暖房出力が前記中途暖房出力より大きいとき、前記燃焼式暖房部が前記最高燃焼暖房出力を発揮するように動作し、且つ、前記電気式暖房部が最低電気暖房出力と最高電気暖房出力との間の所定の電気暖房出力を発揮するように動作する状態で前記暖房手段を動作させ、
前記運転制御手段は、前記出力決定処理において、前記電気式暖房部の前記電気暖房出力を抑制するときの所定の電気暖房抑制条件が満たされると、前記最高電気暖房出力未満の所定の抑制時最高出力を上限として前記電気式暖房部の前記電気暖房出力を決定し、
前記運転制御手段は、前記出力決定処理において、前記暖房手段の動作開始時又は動作中に前記温度測定手段が測定する空気の温度が設定温度以上であると、前記電気暖房抑制条件が満たされたと判定する点にある。 
【０００８】
上記特徴構成によれば、暖房手段の目標暖房出力を最低暖房出力と所定の中途暖房出力の間にするときには、燃焼式暖房部のみが動作するので、暖房コストの上昇を抑制できる。これに対して、暖房手段の目標暖房出力を上記所定の中途暖房出力と最高暖房出力との間にするときには、燃焼式暖房部及び電気式暖房部の両方が動作するので、暖房手段による暖房出力を充分に確保できる。
また、暖房手段の目標暖房出力を大きくするときには、目標暖房出力が上記中途暖房出力になるまでは燃焼式暖房部の燃焼暖房出力を優先して増加させ、目標暖房出力が上記中途暖房出力より大きくなると電気式暖房部の電気暖房出力を増加させる。これに対して、暖房手段の目標暖房出力を小さくするときには、目標暖房出力が上記中途暖房出力になるまでは電気式暖房部の電気暖房出力を優先して減少させ、目標暖房出力が上記中途暖房出力以下になると燃焼式暖房部の燃焼暖房出力を減少させる。つまり、暖房手段の目標暖房出力を大きくするときには燃焼式暖房部の燃焼暖房出力を優先して増加させ、暖房手段の目標暖房出力を小さくするときには電気式暖房部の電気暖房出力を優先して減少させるように燃焼式暖房部及び電気式暖房部が運転される。
従って、暖房手段による暖房出力を充分に確保しながら、暖房コストの上昇を抑制できるハイブリッド式温風暖房機を提供できる。
また、所定の電気暖房抑制条件が満たされると、電気式暖房部の電気暖房出力は、最高電気暖房出力未満の所定の抑制時最高出力を上限とされる。つまり、電気式暖房部の電気暖房出力が抑制されると共にその暖房コストも抑制される。
また更に、暖房手段の動作開始時又は動作中に温度測定手段が測定する空気の温度が設定温度以上であると、電気式暖房部の電気暖房出力は、最高電気暖房出力未満の所定の抑制時最高出力を上限とするようになる。つまり、温度測定手段が測定する空気の温度が設定温度以上であるといった気温の高い状況であれば、電気式暖房部の出力が小さくても暖房手段による暖房出力が不足することは無いため、電気式暖房部の出力を小さくすることによる暖房コストの低減効果を得ることができる。
【０００９】
上記目的を達成するための本発明に係るハイブリッド式温風暖房機の特徴構成は、燃料ガスを燃焼させるバーナーと、暖房対象空間の空気を取り入れ、その取り入れた空気と前記バーナーの燃焼ガスとを混合して前記暖房対象空間に吹き出すように通風作用する燃焼式暖房用送風機とを有する燃焼式暖房部、及び、前記暖房対象空間の空気を取り入れ、その取り入れた空気を前記暖房対象空間に吹き出すように通風作用する電気式暖房用送風機と、当該電気式暖房用送風機により通風される空気を加熱する電気ヒーターとを有する電気式暖房部を有する暖房手段、並びに、
前記暖房対象空間の温度を測定する温度測定手段、並びに、
運転を制御する運転制御手段を備えるハイブリッド式温風暖房機であって、
前記運転制御手段は、前記燃焼式暖房部及び前記電気式暖房部を併用するハイブリッドモードにおいて、前記温度測定手段が測定する空気の温度が所定の目標温度となるように、前記温度測定手段が測定する空気の温度と前記目標温度との温度差に基づいて、前記暖房手段の目標暖房出力を最低暖房出力と最高暖房出力との間から決定する出力決定処理を行い、前記出力決定処理において決定した前記目標暖房出力を発揮するように前記暖房手段を動作させ、
前記運転制御手段は、前記出力決定処理において、
前記暖房手段の前記目標暖房出力が前記最低暖房出力と前記最高暖房出力との間の所定の中途暖房出力以下のとき、前記電気式暖房部が動作せず、且つ、前記燃焼式暖房部が最低燃焼暖房出力と最高燃焼暖房出力との間の所定の燃焼暖房出力を発揮するように動作する状態で前記暖房手段を動作させ、
前記暖房手段の前記目標暖房出力が前記中途暖房出力より大きいとき、前記燃焼式暖房部が前記最高燃焼暖房出力を発揮するように動作し、且つ、前記電気式暖房部が最低電気暖房出力と最高電気暖房出力との間の所定の電気暖房出力を発揮するように動作する状態で前記暖房手段を動作させ、
前記運転制御手段は、前記出力決定処理において、前記電気式暖房部の前記電気暖房出力を抑制するときの所定の電気暖房抑制条件が満たされると、前記最高電気暖房出力未満の所定の抑制時最高出力を上限として前記電気式暖房部の前記電気暖房出力を決定し、
前記運転制御手段は、前記出力決定処理において、前記暖房手段の動作開始時又は動作中に前記温度測定手段が測定する空気の温度と前記目標温度との温度差が設定温度差以下であると、前記電気暖房抑制条件が満たされたと判定する点にある。 
【００１０】
上記特徴構成によれば、暖房手段の目標暖房出力を最低暖房出力と所定の中途暖房出力の間にするときには、燃焼式暖房部のみが動作するので、暖房コストの上昇を抑制できる。これに対して、暖房手段の目標暖房出力を上記所定の中途暖房出力と最高暖房出力との間にするときには、燃焼式暖房部及び電気式暖房部の両方が動作するので、暖房手段による暖房出力を充分に確保できる。
また、暖房手段の目標暖房出力を大きくするときには、目標暖房出力が上記中途暖房出力になるまでは燃焼式暖房部の燃焼暖房出力を優先して増加させ、目標暖房出力が上記中途暖房出力より大きくなると電気式暖房部の電気暖房出力を増加させる。これに対して、暖房手段の目標暖房出力を小さくするときには、目標暖房出力が上記中途暖房出力になるまでは電気式暖房部の電気暖房出力を優先して減少させ、目標暖房出力が上記中途暖房出力以下になると燃焼式暖房部の燃焼暖房出力を減少させる。つまり、暖房手段の目標暖房出力を大きくするときには燃焼式暖房部の燃焼暖房出力を優先して増加させ、暖房手段の目標暖房出力を小さくするときには電気式暖房部の電気暖房出力を優先して減少させるように燃焼式暖房部及び電気式暖房部が運転される。
従って、暖房手段による暖房出力を充分に確保しながら、暖房コストの上昇を抑制できるハイブリッド式温風暖房機を提供できる。
また、所定の電気暖房抑制条件が満たされると、電気式暖房部の電気暖房出力は、最高電気暖房出力未満の所定の抑制時最高出力を上限とされる。つまり、電気式暖房部の電気暖房出力が抑制されると共にその暖房コストも抑制される。
また更に、暖房手段の動作開始時又は動作中に温度測定手段が測定する空気の温度と目標温度との温度差が設定温度差以下であると、電気式暖房部の電気暖房出力は、最高電気暖房出力未満の所定の抑制時最高出力を上限とするようになる。つまり、温度測定手段が測定する空気の温度と目標温度との温度差が設定温度差以下であるといった気温の高い状況であれば、電気式暖房部の出力が小さくても暖房手段による暖房出力が不足することは無いため、電気式暖房部の出力を小さくすることによる暖房コストの低減効果を得ることができる。
【００１３】
本発明に係るハイブリッド式温風暖房機の更に別の特徴構成は、前記暖房手段の動作開始時又は動作中に前記温度測定手段が測定する空気の温度が高いほど、前記抑制時最高出力は小さい値に設定される点にある。
【００１４】
温度測定手段が測定する空気の温度が高いほど、暖房手段に要求される暖房出力は小さくなる
そこで本特徴構成では、温度測定手段が測定する空気の温度が高いほど、電気式暖房部の最高出力（抑制時最高出力）を小さい値に設定する。その結果、電気式暖房部の出力を小さくすることによる暖房コストの低減効果を大きく得ることができる。
【００１５】
本発明に係るハイブリッド式温風暖房機の更に別の特徴構成は、前記運転制御手段は、前記出力決定処理において、前記暖房手段の動作開始時又は動作中に前記温度測定手段が測定する空気の温度と前記目標温度との温度差が設定温度差以下であると、前記電気暖房抑制条件が満たされたと判定する点にある。
【００１６】
上記特徴構成によれば、暖房手段の動作開始時又は動作中に温度測定手段が測定する空気の温度と目標温度との温度差が設定温度差以下であると、電気式暖房部の電気暖房出力は、最高電気暖房出力未満の所定の抑制時最高出力を上限とするようになる。つまり、温度測定手段が測定する空気の温度と目標温度との温度差が設定温度差以下であるといった気温の高い状況であれば、電気式暖房部の出力が小さくても暖房手段による暖房出力が不足することは無いため、電気式暖房部の出力を小さくすることによる暖房コストの低減効果を得ることができる。
【００１７】
本発明に係るハイブリッド式温風暖房機の更に別の特徴構成は、前記暖房手段の動作開始時又は動作中に前記温度測定手段が測定する空気の温度と前記目標温度との温度差が小さいほど、前記抑制時最高出力は小さい値に設定される点にある。
【００１８】
温度測定手段が測定する空気の温度と目標温度との温度差が小さいほど、暖房手段に要求される暖房出力は小さくなる。
そこで本特徴構成では、温度測定手段が測定する空気の温度と目標温度との温度差が小さいほど、電気式暖房部の最高出力（抑制時最高出力）を小さい値に設定する。その結果、電気式暖房部の出力を小さくすることによる暖房コストの低減効果を大きく得ることができる。
【００１９】
本発明に係るハイブリッド式温風暖房機の更に別の特徴構成は、前記電気式暖房部の前記電気暖房出力を抑制する指示を使用者から受け付ける抑制指示受付手段を備え、
前記運転制御手段は、前記出力決定処理において、前記抑制指示受付手段が使用者から前記電気式暖房部の前記電気暖房出力を抑制する指示を受け付けていると、前記電気暖房抑制条件が満たされたと判定する点にある。
【００２０】
上記特徴構成によれば、使用者から電気式暖房部の電気暖房出力を抑制する指示を受け付けている場合には、電気式暖房部の電気暖房出力は、最高電気暖房出力未満の所定の抑制時最高出力を上限とされる。
【図面の簡単な説明】
【００２１】
【図１】ハイブリッド式温風暖房機の外観を示す斜視図である。
【図２】ハイブリッド式温風暖房機の縦断右側面図である。
【図３】ハイブリッド式温風暖房機の縦断正面図である。
【図４】ハイブリッド式温風暖房機の操作部を示す図である。
【図５】ハイブリッド式温風暖房機の制御構成を示すブロック図である。
【図６】第１実施形態のハイブリッド式暖房での運転を説明するフローチャートである。
【図７】第２実施形態のハイブリッド式暖房での運転を説明するフローチャートである。
【図８】第３実施形態のハイブリッド式暖房での運転を説明するフローチャートである。
【発明を実施するための形態】
【００２２】
＜第１実施形態＞
以下、図面に基づいて、本発明の第１実施形態に係るハイブリッド式温風暖房機について説明する。
図１はハイブリッド式温風暖房機の外観を示す斜視図であり、図２はハイブリッド式温風暖房機の縦断右側面図であり、図３はハイブリッド式温風暖房機の縦断正面図である。また、図４はハイブリッド式温風暖房機の操作部を示す図であり、図５はハイブリッド式温風暖房機の制御構成を示すブロック図である。図示するように、ハイブリッド式温風暖房機は、燃料ガスを燃焼させるガスバーナー１（バーナーの一例）と、暖房対象空間の空気を取り入れ、その取り入れた空気とガスバーナー１の燃焼ガスとを混合して暖房対象空間に吹き出すように通風作用する燃焼式暖房用送風機２とを備えた燃焼式暖房部Ｈｆ、暖房対象空間の空気を取り入れ、その取り入れた空気を暖房対象空間に吹き出すように通風作用する電気式暖房用送風機３と、その電気式暖房用送風機３により通風される空気を加熱するシーズヒーター４（電気ヒーターの一例）とを備えた電気式暖房部Ｈｅ、運転を制御する運転制御部５（運転制御手段の一例）、及び、その運転制御部５に各種制御情報を送信する操作部６等を備えて構成されている。
【００２３】
この実施形態では、シーズヒーター４が、燃焼式暖房用送風機２の通風作用によって通風される通風領域に配置されて、燃焼式暖房用送風機２と電気式暖房用送風機３とに共用される共用送風機７が設けられている。
【００２４】
以下、ハイブリッド式温風暖房機の各部について、説明を加える。尚、以下の説明において、左右、前後、上下の方向を用いて各部材の形状、各部材の配置関係等を説明するに当たっては、左右、前後及び上下の各方向は、図１〜図３の各図中で各部材に対応する方向として説明する。
図１〜図３に示すように、吸気口８及び温風吹出口９が設けられた本体ケース１０内に、上流側が吸気口８に連通し、且つ、下流側が温風吹出口９に連通する温風通風路１１が設けられ、その温風通風路１１内に、ガスバーナー１を備えた燃焼ユニットＵが燃焼ガスを温風通風路１１に対して吹き出し可能に配設されている。本体ケース１０は、前後方向の寸法が左右方向の寸法よりも小さい薄型形状に構成され、温風吹出口９は、その本体ケース１０の前面下部に設けられ、吸気口８は、その本体ケース１０の後面における高さ方向において温風吹出口９の上縁部よりも上方の位置に設けられている。吸気口８には、塵埃を捕捉するためのエアフィルタ２４が設けられている。
【００２５】
燃焼ユニットＵは、ガスバーナー１と、そのガスバーナー１の炎孔１ｈから噴出される燃料ガスを燃焼させる燃焼室１２とを備えて構成される。ガスバーナー１は、ブンゼン燃焼式であり、燃料供給路１５を通じて供給される燃料ガスを噴出するガスノズル１ｎ、そのガスノズル１ｎから燃料ガスが噴出されると共に、その燃料ガスの噴出に伴う吸引作用により一次燃焼用空気が供給される混合管１ｐ、及び、混合管１ｐから供給される混合気を噴出する複数の炎孔１ｈを列状に備えたガスバーナー本体１ｍ等を備えて構成されている。ガスバーナー本体１ｍは、左右方向に長い細長状に構成されて、その内部空間に混合管１ｐから混合気が供給されるように、混合管１ｐの上方に連通状態で接続され、このガスバーナー本体１ｍの上面部に、左右方向に沿って、複数の炎孔１ｈが列状に形成されている。
【００２６】
この実施形態では、燃焼室１２として、下方に下段用空気取入口１３Ａを備え且つ上方に下段用燃焼ガス吹出口１４Ａを備えた下段燃焼室１２Ａと、下方に上段用空気取入口１３Ｂを備え且つ上方に上段用燃焼ガス吹出口１４Ｂを備えた上段燃焼室１２Ｂとが、下段用燃焼ガス吹出口１４Ａを上段燃焼室１２Ｂ内に臨ませた状態で、上下方向に並べて設けられている。そして、下段燃焼室１２Ａにおいて、ガスバーナー１の炎孔１ｈから噴出される燃料ガスを下段用空気取入口１３Ａから導入される二次燃焼用空気により一次燃焼させ、上段燃焼室１２Ｂにおいて、下段用燃焼ガス吹出口１４Ａから燃焼ガスと共に導入される未燃の燃料ガスを上段用空気取入口１３Ｂから導入される二次燃焼用空気にて二次燃焼させるように構成されて、ガスバーナー１が２段階燃焼型に構成されている。
【００２７】
上段燃焼室１２Ｂを内部に形成する上段燃焼室形成体１６は、前後方向の寸法が左右方向の寸法よりも小さい薄型で、横断面形状が左右方向に長い矩形状となる箱状に構成され、後面の下部に、左右方向に長い細長状で後方向きの連通用開口部１７が設けられ、上面部に、左右方向に長い細長状の上段用燃焼ガス吹出口１４Ｂが設けられている。この上段燃焼室形成体１６の底部は、左右方向視での縦断面形状で、概略Ｖ字状の樋状になるように構成されている。
【００２８】
下段燃焼室１２Ａを内部に形成する下段燃焼室形成体１８は、左右方向の寸法が上段燃焼室形成体１６と同等で、前後方向の寸法及び高さが上段燃焼室形成体１６よりも小さい細長の直方体形の箱状に構成され、その下段燃焼室形成体１８の下面部に、ガスバーナー１のガスバーナー本体１ｍを挿入させる細長状（左右方向に長い）のガスバーナー挿通孔１９と、そのガスバーナー挿通孔１９の前後夫々に位置させた細長状（左右方向に長い）の下段用空気取入口１３Ａとが備えられ、上面部に、細長状（左右方向に長い）の下段用燃焼ガス吹出口１４Ａが備えられている。そして、炎孔１ｈの並び方向を左右方向に沿わせた姿勢で、ガスバーナー本体１ｍをガスバーナー挿通孔１９に挿入させた状態で、ガスバーナー１を下段燃焼室形成体１８に支持させる。
【００２９】
上段燃焼室形成体１６の内部において、連通用開口部１７のやや上方で、且つ、前後方向の略中央に位置させて、ガスバーナー１を支持した下段燃焼室形成体１８が、その長手方向を上段燃焼室形成体１６の長手方向に沿わせた姿勢で配設されている。そして、上段燃焼室形成体１６の内部における下段燃焼室形成体１８の前方、上方及び後方にわたる領域が、上段燃焼室１２Ｂとされ、上段燃焼室形成体１６の前壁部の内面と下段燃焼室形成体１８の前壁部の下端縁にて形成される細長状（左右方向に長い）の開口部、及び、上段燃焼室形成体１６の後壁部の内面と下段燃焼室形成体１８の後壁部の下端縁にて形成される細長状（左右方向に長い）の開口部夫々が、上段用空気取入口１３Ｂとして用いられる。
【００３０】
上述のように構成された燃焼ユニットＵが、その連通用開口部１７を吸気口８における上下方向の下寄りの中間箇所に臨ませた状態で、本体ケース１０の内部に配設されている。本体ケース１０内に、温風通風路１１を形成する通風路形成体２０が、吸気口８の上縁部から燃焼ユニットＵの上方を覆う状態で前方に延びて下向きに屈曲し、更に、燃焼ユニットＵの前方を覆う状態で下方に延びて、温風吹出口９の上縁部に連なる形態で設けられている。そして、通風路形成体２０により、温風通風路１１が、燃焼ユニットＵの上方を前方に延びて下方に屈曲し、更に、燃焼ユニットＵの前方を下方に延びる形態に区画形成される。
【００３１】
更に、左右方向視での縦断面形状が山形状の分流板２１が、燃焼ユニットＵと通風路形成体２０との間の温風通風路１１を上下方向に２分するように、それらの間に位置させた状態で、本体ケース１０内に設けられている。
【００３２】
共用送風機７は、回転軸芯に直交する方向に吸い込み並びに送風作用する羽根体７ｆと、その羽根体７ｆを回転軸芯で回転駆動するファン駆動用モータ７ｍとを備えたクロスフローファンにて構成されている。本体ケース１０内に、送風機７の羽根体７ｆを収容するファンケース２２が、吸気口８の下端縁と温風吹出口９の下端縁とにわたって設けられている。ファンケース２２は、左右方向視での縦断面形状が概略半円状となる細長状の樋状であり、その後方側に、径方向外方に延びる板状縁部２２ｅが備えられている。
【００３３】
このようなファンケース２２が、長手方向を左右方向に沿わせた姿勢で、その開口部を斜め上前向きに向けて、通風路形成体２０の下端部と上段燃焼室形成体１６の下端部とにより形成される斜め下後ろ向きの開口部に対向させた姿勢で、後端縁（板状縁部２２ｅの端縁）を吸気口８の下端縁に接続し、且つ、前端縁を温風吹出口９の下端縁の接続した状態で、本体ケース１０内に設けられている。そして、上段燃焼室形成体１６の樋状底部における後方側の後倒れ状の板状部分と、ファンケース２２の後方の板状縁部２２ｅとにより、吸気口８を、下段燃焼室１２Ａ及び上段燃焼室１２Ｂを迂回して温風通風路１１に連通させるバイパス風路２３が構成される。
【００３４】
共用送風機７の羽根体７ｆが、回転軸芯を左右方向に沿わせてファンケース２２内に位置させた状態で、回転自在に支持されている。そして、ファン駆動用モータ７ｍにより羽根体７ｆを回転駆動することにより、共用送風機７の吸引作用が、温風通風路１１の下流側に対して作用すると共に、バイパス風路２３に作用するように構成されている。
【００３５】
シーズヒーター４は、２本の直線状部４ｐを平行状態に備えた形態のＵ字状に屈曲され、そのＵ字状のシーズヒーター４が、各直線状部４ｐの長手方向を左右方向に沿わせた姿勢で、上段燃焼室１２Ｂ内における上段燃焼室形成体１６の後壁部と下段燃焼室形成体１８の後壁部との間の空気の通流域に配置されている。
【００３６】
次に、２段階燃焼型のガスバーナー１の燃焼形態、及び、そのガスバーナー１による温風の生成形態について説明する。
共用送風機７を作動させることにより、温風通風路１１を通して、吸気口８及び上段用燃焼ガス吹出口１４Ｂに吸引作用し、上段用燃焼ガス吹出口１４Ｂ、上段燃焼室１２Ｂ、上段用空気取入口１３Ｂ及び連通用開口部１７を介して吸気口８に吸引作用すると共に、上段用燃焼ガス吹出口１４Ｂ、上段燃焼室１２Ｂ、下段用燃焼ガス吹出口１４Ａ、下段燃焼室１２Ａ、下段用空気取入口１３Ａ及び連通用開口部１７を介して吸気口８に吸引作用し、並びに、バイパス風路２３を通して吸気口８に吸引作用する。すると、吸気口８から取り入れられた空気は、直接、温風通風路１１の上流端に導入され、並びに、連通用開口部１７を介して、下段用空気取入口１３Ａから下段燃焼室１２Ａ内に二次燃焼用空気として導入されると共に、上段用空気取入口１３Ｂから上段燃焼室１２Ｂ内に二次燃焼用空気として導入され、更には、バイパス風路２３を通って、下段燃焼室１２Ａ及び上段燃焼室１２Ｂを迂回して温風通風路１１に導入される。
【００３７】
ガスバーナー１の複数の炎孔１ｈから噴出された混合気は、下段燃焼室１２内において、下段用空気取入口１３Ａから導入された二次燃焼用空気により一次燃焼して、一次火炎Ｆａが形成され、更に、その一次燃焼による燃焼ガス及び一次燃焼での未燃の燃料ガスが、下段用燃焼ガス吹出口１４Ａから上段燃焼室１２Ｂ内に吹き出され、上段燃焼室１２Ｂ内において、未燃の燃料ガスが上段用空気取入口１３Ｂから導入された二次燃焼用空気により二次燃焼して、二次火炎Ｆｂが形成される。そして、一次燃焼による燃焼ガス及び二次燃焼による燃焼ガスが上段用燃焼ガス吹出口１４Ｂから温風通風路１１に吹き出されて、吸気口８から直接温風通風路１１の上流端に導入された空気と混合されて温風が生成され、その温風が温風通風路１１を通風し、途中でバイパス風路２３を通して吸気口８から直接取り入れられた空気が混合されながら、温風吹出口９から本体ケース１０外に吹き出される。
【００３８】
また、シーズヒーター４を作動させることにより、上段燃焼室１２Ｂ内を通流する空気が加熱されることになる。つまり、上段燃焼室１２Ｂ内は、燃焼式暖房用送風機２としての共用送風機７の通風作用によって通風される通風領域であり、シーズヒーター４がこのような通風領域に配置されることになる。
【００３９】
次に、シーズヒーター４による温風の生成形態について説明する。
共用送風機７を作動させることにより、先に、ガスバーナー１による温風の生成形態について説明したのと同様に、温風通風路１１を通して、吸気口８及び上段用燃焼ガス吹出口１４Ｂに吸引作用し、上段用燃焼ガス吹出口１４Ｂ、上段燃焼室１２Ｂ、上段用空気取入口１３Ｂ及び連通用開口部１７を介して吸気口８に吸引作用すると共に、上段用燃焼ガス吹出口１４Ｂ、上段燃焼室１２Ｂ、下段用燃焼ガス吹出口１４Ａ、下段燃焼室１２Ａ、下段用空気取入口１３Ａ及び連通用開口部１７を介して吸気口８に吸引作用し、並びに、バイパス風路２３を通して吸気口８に吸引作用する。
すると、吸気口８から取り入れられた空気は、連通用開口部１７を介して、上段用空気取入口１３Ｂから上段燃焼室１２Ｂ内に導入されて、シーズヒーター４により加熱されたのち、下段用燃焼ガス吹出口１４Ａから吹き出される空気と混合されて、上段用燃焼ガス吹出口１４Ｂから温風通風路１１に吹き出され、吸気口８から直接温風通風路１１の上流端に導入された空気と混合されて温風が生成され、その温風が温風通風路１１を通風し、途中でバイパス風路２３を通して吸気口８から直接取り入れられた空気が混合されながら、温風吹出口９から本体ケース１０外に吹き出される。
【００４０】
図２に示すように、本体ケース１０内には、吸気口８から吸い込まれる空気の温度を室内温度として検出する室温センサ２５（本発明の温度測定手段の一例）が設けられている。ハイブリッド式温風暖房機の過熱防止用として、通風路形成体２０の外面に、温風通風路１１内の温度を検出可能に通風路温度センサ２６が設けられ、並びに、通風路形成体２０からの伝熱により加熱可能に温度ヒューズ２７が設けられている。図３に示すように、ガスバーナー１にて形成される火炎（一次火炎Ｆａ）を検出する火炎センサ２８が設けられている。
【００４１】
更に、図３に示すように、燃料供給路１５には、ガスバーナー１への燃料ガスの供給を断続する燃料断続弁２９、及び、ガスバーナー１への燃料ガスの供給量を調整する燃料調整弁３０が設けられている。ちなみに、燃料断続弁２９は電磁弁にて構成され、燃料調整弁３０は比例電磁弁にて構成される。ガスバーナー１のガスバーナー本体１ｍの上方近傍に位置させて、ガスバーナー１に点火する点火器３１が設けられている。
【００４２】
図１に示すように、操作部６は、本体ケース１０の上面に設けられ、図４に示すように、その操作部６には、ハイブリッド式温風暖房機の運転の開始及び停止を指令するメイン運転スイッチ４１、停止用時間条件が満たされると運転を停止するおやすみタイマー運転を設定するおやすみタイマースイッチ４２、開始用時間条件が満たされると運転を開始するおはようタイマー運転を設定するおはようタイマースイッチ４３、電気式暖房部Ｈｅによる暖房（以下、電気式暖房運転と記載する場合がある）の開始及び停止を指令する電気ヒーター運転スイッチ４４、シーズヒーター４の出力であるヒーター出力を複数段階（この実施形態では、強、弱の２段階）に設定可能なヒーター出力切換スイッチ４５、暖房運転の目標温度、おやすみタイマー運転を実行させるおやすみタイマー時間、及び、おはようタイマー運転を開始させるまでの時間間隔等を設定する温度／時間設定スイッチ４６、燃焼式暖房部Ｈｆと電気式暖房部Ｈｅとの両方を同時に作動させるハイブリッド式暖房の運転を許可するハイブリッドスイッチ４７、電気式暖房部Ｈｅの電気暖房出力を抑制する指示を使用者から受け付けるエコスイッチ（本発明の抑制指示受付手段の一例）４８等が設けられている。
【００４３】
更に、操作部６には、ハイブリッド式温風暖房機の運転中に点灯される運転ランプ５１、おやすみタイマー運転の設定中に点灯されるおやすみタイマーランプ５２、おはようタイマー運転の設定中に点灯されるおはようタイマーランプ５３、電気式暖房運転の実行中に点灯されるヒーター運転ランプ５４、ヒーター出力切換スイッチ４５にて設定されたヒーター出力を表示するヒーター出力ランプ５５、及び、温度／時間設定スイッチ４６にて設定された温度や時間を表示する温度／時間表示部５６、ハイブリッド式暖房の運転が許可されているときに点灯されるハイブリッドランプ５７、エコスイッチ４８がオン操作されているときに点灯されるエコランプ５８等が設けられている。
【００４４】
使用者は、温度／時間設定スイッチ４６を押し操作することで、暖房運転の目標温度を設定できる。例えば、使用者は、１２℃〜２６℃までの温度を目標温度として１℃刻みで設定できる。加えて、使用者は、１２℃よりも低い設定温度に対応する設定状態として「Ｌ（ロー）」を設定でき、２６℃よりも高い設定温度に対応する設定状態として「Ｈ（ハイ）」を設定できる。例えば、「Ｌ（ロー）」が設定された場合には暖房運転の目標温度は１０℃等の低温度となり、「Ｈ（ハイ）」が設定された場合には暖房運転の目標温度は４０℃などの高温度になる。
【００４５】
次に、運転制御部５の制御動作について説明する。
図５に示すように、運転制御部５には、メイン運転スイッチ４１、おやすみタイマースイッチ４２、おはようタイマースイッチ４３、電気ヒーター運転スイッチ４４、ヒーター出力切換スイッチ４５及び温度／時間設定スイッチ４６、ハイブリッドスイッチ４７、エコスイッチ４８等の各種スイッチからの指令情報、並びに、室温センサ２５、通風路温度センサ２６及び火炎センサ２８等の各種センサの検出情報が入力される。
【００４６】
運転制御部５は、入力される各種スイッチからの指令情報及び各種センサの検出情報に基づいて、シーズヒーター４、点火器３１、ファン駆動用モータ７ｍ、燃料断続弁２９及び燃料調整弁３０等の各種機器、運転ランプ５１、おやすみタイマーランプ５２、おはようタイマーランプ５３、ヒーター運転ランプ５４及びヒーター出力ランプ５５、ハイブリッドランプ５７、エコランプ５８等の各種ランプ、並びに、温度／時間表示部５６等の作動を制御することにより、ハイブリッド式温風暖房機の運転を制御するように構成されている。
【００４７】
具体的には、運転制御部５は、燃焼式暖房部Ｈｆを作動させることによるガス燃焼式暖房運転、電気式暖房部Ｈｅを作動させることによる電気式暖房運転、燃焼式暖房部Ｈｆ及び電気式暖房部Ｈｅの同時作動を許可するハイブリッド暖房運転、停止用時間条件が満たされると運転を停止するおやすみタイマー運転、及び、開始用時間条件が満たされると運転を開始するおはようタイマー運転の各種運転を択一的に実行可能に構成されている。
また、運転制御部５は、おやすみタイマー運転及びおはようタイマー運転夫々において、ガスバーナー１を連続して燃焼させる時間が所定の許容連続燃焼運転時間に達すると、ガスバーナー１の燃焼を停止するように構成されている。ちなみに、許容連続燃焼運転時間は、暖房対象空間を換気することなく安全に燃焼式暖房部Ｈｆを連続して運転可能な上限時間に設定され、この実施形態では、例えば６０分に設定される。
【００４８】
以下、燃焼式暖房運転、電気式暖房運転、ハイブリッド式暖房運転の各運転について説明する。
【００４９】
〔燃焼式暖房運転〕
運転制御部５は、メイン運転スイッチ４１により運転の開始が指令されると、ファン駆動用モータ７ｍを作動させ、並びに、燃料断続弁２９及び燃料調整弁３０を開弁すると共に、点火器３１を作動させる点火処理を実行して、ガスバーナー１を燃焼させることにより、ガスバーナー１の燃焼ガスにより生成された温風を室内に吹き出すガス燃焼式暖房運転を開始し、運転ランプ５１を点灯する。
運転制御部５は、ガス燃焼式暖房運転の実行中は、室温センサ２５の検出温度が温度／時間設定スイッチ４６にて設定された目標温度になるように、燃料調整弁３０の開度を調整してガスバーナー１の燃焼量を調整する燃焼制御を実行する。
【００５０】
運転制御部５は、ガス燃焼式暖房運転の実行中に、メイン運転スイッチ４１が再度押されて運転の停止が指令されると、燃料断続弁２９及び燃料調整弁３０を閉弁すると共に、ファン駆動用モータ７ｍを停止する消火処理を実行して、ガスバーナー１を消火させることにより、ガス燃焼式暖房運転を停止し、並びに、運転ランプ５１を消灯する。
また、運転制御部５は、ガス燃焼式暖房運転の開始に伴って、消し忘れ防止タイマーを作動させ、消し忘れ防止タイマーがタイムアップすると、消火処理を実行してガス燃焼式暖房運転を停止する。消し忘れ防止タイマーは、温度／時間設定スイッチ４６により、３時間、５時間、８時間のいずれかに設定することができる。
尚、運転制御部５は、ガス燃焼式暖房運転の実行中に、通風路温度センサ２６の検出温度が予め設定された過熱防止用設定温度以上になったり、火炎センサ２８によりガスバーナー１の立ち消えが検出されると、消火処理を実行してガス燃焼式暖房運転を停止する。
【００５１】
〔電気式暖房運転〕
運転制御部５は、電気ヒーター運転スイッチ４４により電気式暖房運転の開始が指令されると、ファン駆動用モータ７ｍ及びシーズヒーター４を作動させることにより、電気式暖房運転を開始すると共に、ヒーター運転ランプ５４を点灯する。
また、運転制御部５は、ヒーター出力切換スイッチ４５が繰り返し押されると、ヒーター出力ランプ５５を全て消灯している状態から、ヒーター出力切換スイッチ４５が押されるに伴って、弱のヒーター出力に対応するヒーター出力ランプ５５を点灯する状態、強のヒーター出力に対応するヒーター出力ランプ５５を点灯する状態、全てのヒーター出力ランプ５５を消灯する状態に、ヒーター出力ランプ５５の制御状態を順次変化させる。
【００５２】
そして、運転制御部５は、電気式暖房運転の実行中に、全てのヒーター出力ランプ５５を消灯している状態では、室温センサ２５の検出温度が温度／時間設定スイッチ４６にて設定された目標温度になるように、シーズヒーター４の出力を調整するヒーター出力制御を実行することにより、温度調整モードにて電気式暖房運転を実行する。
また、運転制御部５は、電気式暖房運転の実行中に、弱、強のいずれかのヒーター出力に対応するヒーター出力ランプ５５を点灯させているときは、点灯させているヒーター出力ランプ５５に対応するヒーター出力でシーズヒーター４を作動させるヒーター出力制御を実行することにより、定出力モードにて電気式暖房運転を実行する。
【００５３】
運転制御部５は、温度調整モードか定出力モードによる電気式暖房運転の実行中に、電気ヒーター運転スイッチ４４が再度押されて、電気式暖房運転の停止が指令されると、シーズヒーター４及びファン駆動用モータ７ｍの作動を停止して、電気式暖房運転を停止する。
また、運転制御部５は、電気式暖房運転の開始に伴って、消し忘れ防止タイマーを作動させ、消し忘れ防止タイマーがタイムアップすると、シーズヒーター４及びファン駆動用モータ７ｍの作動を停止して、電気式暖房運転を停止する。
尚、運転制御部５は、電気式暖房運転の実行中に、通風路温度センサ２６の検出温度が過熱防止用設定温度以上になると、シーズヒーター４及びファン駆動用モータ７ｍの作動を停止して、電気式暖房運転を停止する。
【００５４】
つまり、運転制御部５が、電気式暖房部Ｈｅを、室温を検出する室温センサ２５の検出温度が目標温度になるようにシーズヒーター４の出力を調整する温度調整モードか、シーズヒーター４をヒーター出力切換スイッチ４５により設定されたヒーター出力で作動させる定出力モードで択一的に運転可能に構成されていることになる。
そして、ヒーター出力切換スイッチ４５が、ヒーター出力を複数段階（この実施形態では、強、弱の２段階）に設定可能に構成されていることになる。
【００５５】
〔ハイブリッド式暖房運転〕
運転制御部５は、ハイブリッドスイッチ４７がオン操作されてハイブリッド式暖房の運転が許可されている状態でメイン運転スイッチ４１により運転の開始が指令されると、ハイブリッド式暖房運転を開始する。このとき、運転制御部５は、ファン駆動用モータ７ｍを作動させ、並びに、燃料断続弁２９及び燃料調整弁３０を開弁すると共に、点火器３１を作動させる点火処理を実行して、ガスバーナー１を燃焼させることにより、ガスバーナー１の燃焼ガスにより生成された温風を室内に吹き出すガス燃焼式暖房運転を開始し、運転ランプ５１を点灯する。加えて、運転制御部５は、シーズヒーター４を作動させることにより、電気式暖房運転を開始すると共に、ヒーター運転ランプ５４を点灯する。
【００５６】
運転制御部５は、燃焼式暖房部Ｈｆ及び電気式暖房部Ｈｅを併用するハイブリッド式暖房において、室温センサ２５が測定する空気の温度が所定の目標温度となるように、室温センサ２５が測定する空気の温度と目標温度との温度差に基づいて、暖房手段Ｈの目標暖房出力を最低暖房出力と最高暖房出力との間から決定する出力決定処理を行い、出力決定処理において決定した目標暖房出力を発揮するように暖房手段Ｈを動作させる。
【００５７】
本実施形態では、以下の表１に示すように、暖房手段Ｈの暖房出力は、１段目（０．５２ｋＷ）〜１０段目（３．６４ｋＷ）の間の何れかの段階の出力に調節される。具体的には、運転制御部５は、暖房手段Ｈの目標暖房出力が最低暖房出力（１段目：０．５２ｋＷ）と最高暖房出力（１０段目：３．６４ｋＷ）との間の所定の中途暖房出力（７段目：２．４４ｋＷ）以下のとき、電気式暖房部Ｈｅのシーズヒーター４が動作せず、且つ、燃焼式暖房部Ｈｆのガスバーナー１が最低燃焼暖房出力（０．５２ｋＷ）と最高燃焼暖房出力（２．４４ｋＷ）との間の所定の燃焼暖房出力を発揮するように動作する状態で暖房手段Ｈを動作させる。これに対して、運転制御部５は、暖房手段Ｈの目標暖房出力が上記中途暖房出力（７段目：２．４４ｋＷ）より大きいとき、燃焼式暖房部Ｈｆのガスバーナー１が最高燃焼暖房出力（２．４４ｋＷ）を発揮するように動作し、且つ、電気式暖房部Ｈｅのシーズヒーター４が最低電気暖房出力（０．４０ｋＷ）と最高電気暖房出力（１．２０ｋＷ）との間の所定の電気暖房出力を発揮するように動作する状態で暖房手段Ｈを動作させる。
【００５８】
燃焼式暖房部Ｈｆのガスバーナー１の燃焼暖房出力は、ガスバーナー１への単位時間当たりの燃料ガスの供給量を調節することで変化させることができる。運転制御部５は、各燃焼暖房出力に対応する供給燃料量を記憶しており、燃料調整弁３０の弁開度をその供給燃料量に対応する開度に調節することで、ガスバーナー１への単位時間当たりの燃料ガスの供給量を調節できる。電気式暖房部Ｈｅのシーズヒーター４の電気暖房出力は、シーズヒーター４への通電量を調節することで変化させることができる。運転制御部５は、各電気暖房出力に対応する通電量を記憶しており、例えばトライアック等の半導体素子を用いることで、シーズヒーター４への通電量を調節できる。また、運転制御部５は、暖房手段Ｈの暖房出力に応じた出力で送風機７を運転させる。
【００５９】
【表１】
0006715668.tif 000002
【００６０】
図６は、第１実施形態のハイブリッド式暖房での運転を説明するフローチャートである。
運転制御部５は、ハイブリッドスイッチ４７がオン状態に切り替えられた状態で運転スイッチがオン操作されると、ハイブリッド式暖房での暖房手段Ｈの運転が指示されたと判断する。そして、工程＃１０において運転制御部５は、暖房手段Ｈの動作を開始する。本例では、工程＃１０において運転制御部５は、暖房手段Ｈの目標暖房出力を最高暖房出力（１０段目：３．６４ｋＷ）に設定した状態で、暖房手段Ｈの動作を開始する。つまり、運転制御部５は、燃焼式暖房部Ｈｆのガスバーナー１が最高燃焼暖房出力（２．４４ｋＷ）を発揮するように動作し、且つ、電気式暖房部Ｈｅのシーズヒーター４が最高電気暖房出力（１．２０ｋＷ）を発揮するように動作する状態で暖房手段Ｈを動作させる。これにより、暖房対象空間の温度が素早く上昇することになる。
【００６１】
その後、工程＃１１において運転制御部５は、室温センサ２５が測定する暖房対象空間の空気の温度が、温度／時間設定スイッチ４６にて設定された目標温度に到達したか否かを判定する。そして、運転制御部５は、暖房対象空間の空気の温度が目標温度に未だ到達していないならば工程＃１１を再び実行し、暖房対象空間の空気の温度が目標温度に到達しているならば工程＃１２に移行する。
このように、本実施形態において運転制御部５は、暖房手段Ｈの動作開始の直後は、暖房対象空間の温度が目標温度に到達するまで、暖房手段Ｈの目標暖房出力を最高暖房出力（１０段目：３．６４ｋＷ）に設定した状態で、その暖房手段Ｈを動作させる。
【００６２】
工程＃１２において運転制御手段は、暖房対象空間の空気の温度（室温）が「目標温度＋１℃」よりも高いか否かを判定する。そして、運転制御部５は、暖房対象空間の空気の温度（室温）が「目標温度＋１℃」以下の場合には工程＃１４に移行し、暖房対象空間の空気の温度（室温）が「目標温度＋１℃」よりも高い場合には工程＃１３に移行する。
【００６３】
工程＃１３において運転制御部５は、暖房手段Ｈの目標暖房出力を決定する出力決定処理を行う。つまり、暖房対象空間の空気の温度（室温）が「目標温度＋１℃」よりも高い状態というのは、暖房手段Ｈの暖房出力が過剰である状態と見なすことができる。そこで、工程＃１３において運転制御部５は、暖房手段Ｈの暖房出力を減少側に変化させる調節を行う。具体的には、運転制御部５は、暖房手段Ｈの現在の暖房出力よりも１段階下の暖房出力を新たな目標暖房出力として暖房手段Ｈを動作させる。例えば、運転制御部５は、暖房手段Ｈの現在の目標暖房出力が１０段目（３．６４ｋＷ）であれば、次に９段目（３．２４ｋＷ）を新たな目標暖房出力として暖房手段Ｈを動作させる。このとき、運転制御部５は、燃焼式暖房部Ｈｆのガスバーナー１の燃焼暖房出力を２．４４ｋＷにさせ、電気式暖房部Ｈｅのシーズヒーター４の電気暖房出力を０．８０ｋＷにさせる状態で暖房手段Ｈを動作させる。
このように、工程＃１３において運転制御部５は、室温センサ２５が測定する空気の温度と目標温度との温度差に基づいて、暖房手段Ｈの暖房出力を減少側に変化させる調節を行うことで、室温センサ２５が測定する暖房対象空間の室温が目標温度に近付くことを期待できる。
【００６４】
工程＃１４において運転制御部５は、暖房対象空間の空気の温度（室温）が「目標温度−１℃」よりも低いか否かを判定する。そして、運転制御部５は、暖房対象空間の空気の温度（室温）が「目標温度−１℃」以上の場合には工程＃１６に移行し、暖房対象空間の空気の温度（室温）が「目標温度−１℃」よりも低い場合には工程＃１５に移行する。
【００６５】
工程＃１５において運転制御部５は、暖房手段Ｈの目標暖房出力を決定する出力決定処理を行う。つまり、暖房対象空間の空気の温度（室温）が「目標温度−１℃」よりも低い状態というのは、暖房手段Ｈの暖房出力が過少である状態と見なすことができる。そこで、工程＃１５において運転制御部５は、暖房手段Ｈの暖房出力を増加側に変化させる調節を行う。具体的には、運転制御部５は、暖房手段Ｈの現在の暖房出力よりも１段階上の暖房出力を新たな目標暖房出力として暖房手段Ｈを動作させる。例えば、運転制御部５は、暖房手段Ｈの現在の目標暖房出力が８段目（２．８４ｋＷ）であれば、次に９段目（３．２４ｋＷ）を新たな目標暖房出力として暖房手段Ｈを動作させる。このとき、運転制御部５は、燃焼式暖房部Ｈｆのガスバーナー１の燃焼暖房出力を２．４４ｋＷにさせ、電気式暖房部Ｈｅのシーズヒーター４の電気暖房出力を０．８０ｋＷにさせる状態で暖房手段Ｈを動作させる。
このように、工程＃１３において運転制御部５は、室温センサ２５が測定する空気の温度と目標温度との温度差に基づいて、暖房手段Ｈの暖房出力を増加側に変化させる調節を行うことで、室温センサ２５が測定する暖房対象空間の室温が目標温度に近付くことを期待できる。
【００６６】
次に、工程＃１６において運転制御部５は、運転スイッチがオフ操作されたか否かを判定する。そして、運転制御部５は、運転スイッチがオフ操作された場合には工程＃１７に移行して暖房手段Ｈの運転を停止させる。これに対して、運転制御部５は、運転スイッチがオフ操作されていない場合には、暖房手段Ｈの運転を継続して、工程＃１２に移行する。
【００６７】
以上のように、本実施形態のハイブリッド式温風暖房機では、表１に示したように、暖房手段Ｈの目標暖房出力を最低暖房出力と所定の中途暖房出力の間にするときには、燃焼式暖房部Ｈｆのみが動作するので、暖房コストの上昇を抑制できる。これに対して、暖房手段Ｈの目標暖房出力を上記所定の中途暖房出力と最高暖房出力との間にするときには、燃焼式暖房部Ｈｆ及び電気式暖房部Ｈｅの両方が動作するので、暖房手段Ｈによる暖房出力を充分に確保できる。また、暖房手段Ｈの目標暖房出力を大きくするときには、目標暖房出力が上記中途暖房出力になるまでは燃焼式暖房部Ｈｆの燃焼暖房出力を優先して増加させ、目標暖房出力が上記中途暖房出力より大きくなると電気式暖房部Ｈｅの電気暖房出力を増加させる。これに対して、暖房手段Ｈの目標暖房出力を小さくするときには、目標暖房出力が上記中途暖房出力になるまでは電気式暖房部Ｈｅの電気暖房出力を優先して減少させ、目標暖房出力が上記中途暖房出力以下になると燃焼式暖房部Ｈｆの燃焼暖房出力を減少させる。つまり、暖房手段Ｈの目標暖房出力を大きくするときには燃焼式暖房部Ｈｆの燃焼暖房出力を優先して増加させ、暖房手段Ｈの目標暖房出力を小さくするときには電気式暖房部Ｈｅの電気暖房出力を優先して減少させるように燃焼式暖房部Ｈｆ及び電気式暖房部Ｈｅが運転される。従って、暖房手段Ｈによる暖房出力を充分に確保しながら、暖房コストの上昇を抑制できるハイブリッド式温風暖房機を提供できる。
【００６８】
＜第２実施形態＞
第２実施形態のハイブリッド式温風暖房機は、電気暖房抑制条件が満たされる場合には電気式暖房部Ｈｅの電気暖房出力の上限を抑制時最高出力（＜最高電気暖房出力）に制限する点で上記実施形態と異なっている。以下に第２実施形態のハイブリッド式温風暖房機について説明するが上記実施形態と同様の構成については説明を省略する。
【００６９】
図７は、第２実施形態のハイブリッド式暖房での運転を説明するフローチャートである。
運転制御部５は、ハイブリッドスイッチ４７がオン状態に切り替えられた状態で運転スイッチがオン操作されると、ハイブリッド式暖房での暖房手段Ｈの運転が指示されたと判断する。そして、工程＃２０において運転制御部５は、暖房手段Ｈの目標暖房出力を決定する第１出力決定処理を行う。運転制御部５は、この第１出力決定処理において、電気式暖房部Ｈｅの電気暖房出力を抑制するときの所定の電気暖房抑制条件が満たされると、最高電気暖房出力未満の所定の抑制時最高出力を上限として電気式暖房部Ｈｅの電気暖房出力を決定する。
【００７０】
本実施形態において、電気暖房抑制条件は、暖房手段Ｈの動作開始時に室温センサ２５が測定する空気の温度が設定温度以上であることである。従って、運転制御部５は、第１出力決定処理において、暖房手段Ｈの動作開始時に室温センサ２５が測定する空気の温度が設定温度以上（例えば１５℃以上等）であると、電気暖房抑制条件が満たされたと判定する。つまり、運転制御部５は、暖房対象空間の温度が相対的に高ければ、電気式暖房部Ｈｅの電気暖房出力の上限を抑制時最高出力（＜最高電気暖房出力）に制限する。例えば、表１に示したように電気式暖房部Ｈｅの最高電気暖房出力が１．２０ｋＷである場合、運転制御部５は、上記電気暖房抑制条件が満たされると、電気式暖房部Ｈｅの電気暖房出力の上限を０．４０ｋＷという抑制時最高出力に制限する。或いは、運転制御部５は、上記電気暖房抑制条件が満たされると、電気式暖房部Ｈｅの電気暖房出力の上限を０ｋＷという抑制時最高出力に制限して、電気式暖房部Ｈｅを動作させない状態で暖房手段Ｈを動作させてもよい。このように、室温センサ２５が測定する空気の温度が設定温度以上であるといった気温の高い状況であれば、電気式暖房部Ｈｅの出力が小さくても暖房手段Ｈによる暖房出力が不足することは無いため、目標温度に到達するまでの時間が遅くなるとしても、電気式暖房部Ｈｅの出力を小さくすることによる暖房コストの低減効果を得ることができる。
【００７１】
その後、工程＃２２において運転制御部５は、室温センサ２５が測定する暖房対象空間の空気の温度が、温度／時間設定スイッチ４６にて設定された目標温度に到達したか否かを判定する。そして、運転制御部５は、暖房対象空間の空気の温度が目標温度に未だ到達していないならば工程＃２２を再び実行し、暖房対象空間の空気の温度が目標温度に到達しているならば工程＃２３に移行する。
【００７２】
工程＃２３において運転制御手段は、暖房対象空間の空気の温度（室温）が「目標温度＋１℃」よりも高いか否かを判定する。そして、運転制御部５は、暖房対象空間の空気の温度（室温）が「目標温度＋１℃」以下の場合には工程＃２５に移行し、暖房対象空間の空気の温度（室温）が「目標温度＋１℃」よりも高い場合には工程＃２４に移行する。
【００７３】
工程＃２４において運転制御部５は、暖房手段Ｈの目標暖房出力を決定する第２出力決定処理を行う。つまり、暖房対象空間の空気の温度（室温）が「目標温度＋１℃」よりも高い状態というのは、暖房手段Ｈの暖房出力が過剰である状態と見なすことができる。そこで、工程＃２４において運転制御部５は、暖房手段Ｈの暖房出力を減少側に変化させる調節を行う。具体的には、運転制御部５は、暖房手段Ｈの現在の暖房出力よりも１段階下の暖房出力を新たな目標暖房出力として暖房手段Ｈを動作させる。運転制御部５は、この第２出力決定処理でも、上記第１出力決定処理と同様に、電気式暖房部Ｈｅの電気暖房出力を抑制するときの所定の電気暖房抑制条件が満たされると、最高電気暖房出力未満の所定の抑制時最高出力を上限として電気式暖房部Ｈｅの電気暖房出力を決定することができる。
【００７４】
工程＃２５において運転制御部５は、暖房対象空間の空気の温度（室温）が「目標温度−１℃」よりも低いか否かを判定する。そして、運転制御部５は、暖房対象空間の空気の温度（室温）が「目標温度−１℃」以上の場合には工程＃２７に移行し、暖房対象空間の空気の温度（室温）が「目標温度−１℃」よりも低い場合には工程＃２６に移行して、上記第２出力決定処理を行う。
【００７５】
次に、工程＃２７において運転制御部５は、運転スイッチがオフ操作されたか否かを判定する。そして、運転制御部５は、運転スイッチがオフ操作された場合には工程＃２８に移行して暖房手段Ｈの運転を停止させる。これに対して、運転制御部５は、運転スイッチがオフ操作されていない場合には、暖房手段Ｈの運転を継続して、工程＃２３に移行する。
【００７６】
＜第３実施形態＞
第３実施形態のハイブリッド式温風暖房機は、暖房手段Ｈの暖房出力を決定する手法が上記第２実施形態と異なっている。以下に第３実施形態のハイブリッド式温風暖房機について説明するが上記実施形態と同様の構成については説明を省略する。
【００７７】
図８は、第３実施形態のハイブリッド式暖房での運転を説明するフローチャートである。
運転制御部５は、ハイブリッドスイッチ４７がオン状態に切り替えられた状態で運転スイッチがオン操作されると、ハイブリッド式暖房での暖房手段Ｈの運転が指示されたと判断する。そして、工程＃３０において運転制御部５は、暖房手段Ｈの動作を開始する。本例では、工程＃３０において運転制御部５は、暖房手段Ｈの目標暖房出力を最高暖房出力（１０段目：３．６４ｋＷ）に設定した状態で、暖房手段Ｈの動作を開始する。つまり、運転制御部５は、燃焼式暖房部Ｈｆのガスバーナー１が最高燃焼暖房出力（２．４４ｋＷ）を発揮するように動作し、且つ、電気式暖房部Ｈｅのシーズヒーター４が最高電気暖房出力（１．２０ｋＷ）を発揮するように動作する状態で暖房手段Ｈを動作させる。これにより、暖房対象空間の温度が素早く上昇することになる。
【００７８】
その後、工程＃３１において運転制御部５は、暖房手段Ｈの目標暖房出力を決定する第１出力決定処理を行う。運転制御部５は、この第１出力決定処理において、電気式暖房部Ｈｅの電気暖房出力を抑制するときの所定の電気暖房抑制条件が満たされると、最高電気暖房出力未満の所定の抑制時最高出力を上限として電気式暖房部Ｈｅの電気暖房出力を決定する。具体的には、工程＃３１において運転制御部５は、暖房手段Ｈの動作中に室温センサ２５が測定する空気の温度が設定温度以上（例えば１５℃以上等）であると、電気暖房抑制条件が満たされたと判定して、電気式暖房部Ｈｅの電気暖房出力の上限を抑制時最高出力（＜最高電気暖房出力）に制限する。例えば、表１に示したように電気式暖房部Ｈｅの最高電気暖房出力が１．２０ｋＷである場合、運転制御部５は、電気式暖房部Ｈｅの電気暖房出力の上限を０．４０ｋＷという抑制時最高出力に制限する。或いは、運転制御部５は、電気式暖房部Ｈｅの電気暖房出力の上限を０ｋＷという抑制時最高出力に制限して、電気式暖房部Ｈｅを動作させない状態で暖房手段Ｈを動作させてもよい。このように、少なくとも設定温度（例えば１５℃等）までは暖房対象空間の温度を素早く上昇させることができ、その後は、室温センサ２５が測定する空気の温度が設定温度以上であるといった気温の高い状況であれば、電気式暖房部Ｈｅの出力が小さくても暖房手段Ｈによる暖房出力が不足することは無いため、目標温度に到達するまでの時間が遅くなるとしても、電気式暖房部Ｈｅの出力を小さくすることによる暖房コストの低減効果を得ることができる。
【００７９】
次に、工程＃３２において運転制御部５は、室温センサ２５が測定する暖房対象空間の空気の温度が目標温度に到達したか否かを判定する。そして、運転制御部５は、暖房対象空間の空気の温度が目標温度に未だ到達していないならば工程＃３２を再び実行し、暖房対象空間の空気の温度が目標温度に到達しているならば工程＃３３に移行する。
【００８０】
尚、本実施形態の図８に示す工程＃３３〜工程＃３８は、上記第２実施形態の図７に示した工程＃２３〜工程＃２８と同様であるため、説明を省略する。
【００８１】
＜第４実施形態＞
第４実施形態のハイブリッド式温風暖房機は、電気暖房抑制条件の内容が上記実施形態と異なっている。以下に第４実施形態のハイブリッド式温風暖房機について説明するが、上記実施形態と同様の構成については説明を省略する。
【００８２】
本実施形態において、電気暖房抑制条件は、暖房手段Ｈの動作開始時に室温センサ２５が測定する空気の温度と目標温度との温度差が設定温度差以下であることである。具体的には、運転制御部５は、上記第２実施形態で説明した第１出力決定処理において、暖房手段Ｈの動作開始時に室温センサ２５が測定する空気の温度と目標温度との温度差が設定温度差以下（例えば５℃以下等）であると、電気暖房抑制条件が満たされたと判定する。つまり、運転制御部５は、暖房対象空間の温度が目標温度にある程度近ければ、電気式暖房部Ｈｅの電気暖房出力の上限を抑制時最高出力（＜最高電気暖房出力）に制限する。
【００８３】
＜第５実施形態＞
第５実施形態のハイブリッド式温風暖房機は、電気暖房抑制条件の内容が上記実施形態と異なっている。以下に第５実施形態のハイブリッド式温風暖房機について説明するが、上記実施形態と同様の構成については説明を省略する。
【００８４】
本実施形態において、電気暖房抑制条件は、暖房手段Ｈの動作中に室温センサ２５が測定する空気の温度と目標温度との温度差が設定温度差以下であることである。具体的には、運転制御部５は、上記第２実施形態で説明した第２出力決定処理、並びに、上記第３実施形態で説明した第１出力決定処理及び第２出力決定処理において、暖房手段Ｈの動作中に室温センサ２５が測定する空気の温度と目標温度との温度差が設定温度差以下（例えば５℃以下等）であると、電気暖房抑制条件が満たされたと判定する。つまり、運転制御部５は、暖房対象空間の温度が目標温度にある程度近ければ、電気式暖房部Ｈｅの電気暖房出力の上限を抑制時最高出力（＜最高電気暖房出力）に制限する。
【００８５】
＜第６実施形態＞
第６実施形態のハイブリッド式温風暖房機は、電気暖房抑制条件の内容が上記実施形態と異なっている。以下に第６実施形態のハイブリッド式温風暖房機について説明するが、上記実施形態と同様の構成については説明を省略する。
【００８６】
本実施形態では、エコスイッチ４８が、電気式暖房部Ｈｅの電気暖房出力を抑制する指示を使用者から受け付ける抑制指示受付手段として機能する。そして、運転制御部５は、上記出力決定処理（第１出力決定処理、第２出力決定処理を含む）において、エコスイッチ４８がオン状態に操作されたことを、使用者が暖房手段Ｈの暖房コストの低減を希望する意思表示と見なす。従って、運転制御部５は、エコスイッチ４８が使用者から電気式暖房部Ｈｅの電気暖房出力を抑制する指示を受け付けていると、電気暖房抑制条件が満たされたと判定して、上記実施形態と同様に、最高電気暖房出力未満の所定の抑制時最高出力を上限として電気式暖房部Ｈｅの電気暖房出力を決定する。
【００８７】
＜別実施形態＞
＜１＞
上記実施形態では、本発明のハイブリッド式温風暖房機の構成について具体例を挙げて説明したが、その構成は適宜変更可能である。
上記実施形態では、燃焼式暖房部Ｈｆのバーナーとして、燃料ガスを燃焼するガスバーナー１を用いる例を説明したが、石油等の液体燃料を燃料とするバーナーを用いてもよい。また、上記実施形態では、電気ヒーターの具体例としてシーズヒーター４を説明したが、ニクロム線ヒーター、石英管ヒーター、セラミックヒーター、カーボンヒーター等、種々のヒーターを用いてもよい。
他にも、電気式暖房部Ｈｅのシーズヒーター４の設置位置は、上記実施形態で説明した位置に限定されるものではなく、例えば、温風通風路１１内やバイパス風路２３内でも良い。
更に、上記実施形態では、燃焼式暖房用送風機２と電気式暖房用送風機３とに共用される共用送風機７を設ける例を説明したが、燃焼式暖房用送風機２と電気式暖房用送風機３とを別個に配置して、シーズヒーター４を電気式暖房用送風機３の通風作用によって通風される通風領域に配置しても良い。
【００８８】
＜２＞
上記実施形態において、抑制時最高出力の値を温度に応じて可変に設定してもよい。
具体的には、暖房手段Ｈの動作開始時または動作中に室温センサ２５が測定する空気の温度が高いほど、抑制時最高出力は小さい値に設定してもよい。例えば、第１設定温度を１５℃とし、第２設定温度を１８℃とし、第３設定温度を２０℃としておく。そして、運転制御部５は、室温が１５℃未満（第１設定温度未満）では電気式暖房部Ｈｅの電気暖房出力の上限を最高電気暖房出力（１．２０ｋＷ）とし、室温が１５℃以上１８℃未満（第１設定温度以上第２設定温度未満）では電気式暖房部Ｈｅの電気暖房出力の上限を抑制時最高出力（０．８０ｋＷ）とし、室温が１８℃以上２０℃未満（第２設定温度以上第３設定温度未満）では電気式暖房部Ｈｅの電気暖房出力の上限を抑制時最高出力（０．４０ｋＷ）とし、室温が２０℃以上（第３設定温度以上）では電気式暖房部Ｈｅの電気暖房出力の上限を抑制時最高出力（０ｋＷ）としてもよい。室温センサ２５が測定する空気の温度が高いほど、暖房手段Ｈに要求される暖房出力は小さくなるので、電気式暖房部Ｈｅの最高出力（抑制時最高出力）を小さい値に設定しても、暖房手段Ｈによる暖房出力を充分に確保できる。その結果、電気式暖房部Ｈｅの出力を小さくすることによる暖房コストの低減効果を大きく得ることができる。
【００８９】
或いは、暖房手段Ｈの動作開始時または動作中に室温センサ２５が測定する暖房対象空間の室温と目標温度との温度差が小さいほど、抑制時最高出力は小さい値に設定してもよい。例えば、第１設定温度差を７℃とし、第２設定温度差を５℃とし、第３設定温度差を２℃としておく。そして、運転制御部５は、室温と目標温度との温度差が７℃以上（第１設定温度差以上）では電気式暖房部Ｈｅの電気暖房出力の上限を最高電気暖房出力（１．２０ｋＷ）とし、室温と目標温度との温度差が７℃未満５℃以上（第１設定温度差未満第２設定温度差以上）では電気式暖房部Ｈｅの電気暖房出力の上限を抑制時最高出力（０．８０ｋＷ）とし、室温と目標温度との温度差が５℃未満２℃以上（第２設定温度差未満第３設定温度以上）では電気式暖房部Ｈｅの電気暖房出力の上限を抑制時最高出力（０．４０ｋＷ）とし、室温と目標温度との温度差が２℃未満（第３設定温度差未満）では電気式暖房部Ｈｅの電気暖房出力の上限を抑制時最高出力（０ｋＷ）としてもよい。室温センサ２５が測定する暖房対象空間の室温と、温度／時間設定スイッチ４６にて設定された目標温度との温度差が小さいほど、暖房手段に要求される暖房出力は小さくなるので、電気式暖房部Ｈｅの最高出力（抑制時最高出力）を小さい値に設定しても、暖房手段Ｈによる暖房出力を充分に確保できる。その結果、電気式暖房部Ｈｅの出力を小さくすることによる暖房コストの低減効果を大きく得ることができる。
【００９０】
＜３＞
上記実施形態において、運転制御部５が、暖房手段Ｈの動作開始時に暖房運転の目標温度が「Ｈ（ハイ）」が設定されていた場合には、電気式暖房部Ｈｅは作動させない、或いは、規定時間（例えば３０分等）を超えると停止させるなどの電気暖房抑制運転を行ってもよい。このような電気暖房抑制運転が行われると、暖房運転の目標温度が「Ｈ（ハイ）」が設定されていたとしても、電気式暖房部Ｈｅの運転が長時間になることは無いので、ハイブリッド式暖房でのランニングコストが上昇してしまうのを防ぐためである。
【００９１】
＜４＞
上記実施形態（別実施形態を含む、以下同じ）で開示される構成は、矛盾が生じない限り、他の実施形態で開示される構成と組み合わせて適用でき、また、本明細書において開示された実施形態は例示であって、本発明の実施形態はこれに限定されず、本発明の目的を逸脱しない範囲内で適宜改変できる。
【産業上の利用可能性】
【００９２】
本発明は、暖房手段による暖房出力を充分に確保しながら、暖房コストの上昇を抑制できるハイブリッド式温風暖房機に利用できる。
【符号の説明】
【００９３】
１  ガスバーナー（バーナー）
２  燃焼式暖房用送風機
３  電気式暖房用送風機
４  シーズヒーター（電気ヒーター）
５  運転制御部（運転制御手段）
７  共用送風機
２５  室温センサ（温度測定手段）
Ｈ  暖房手段
Ｈｅ  電気式暖房部
Ｈｆ  燃焼式暖房部
【図１】
0006715668.tif 000003
【図２】
0006715668.tif 000004
【図３】
0006715668.tif 000005
【図４】
0006715668.tif 000006
【図５】
0006715668.tif 000007
【図６】
0006715668.tif 000008
【図７】
0006715668.tif 000009
【図８】
0006715668.tif 000010